(57)【要約】      （修正有）【課題】ローカルホストの物流データ管理装置を利用して、物流データを処理する物流データ送信システム及びその方法を提供する。【解決手段】物流データ送信システム１０において、少なくとも一つの端末装置は、一つの物流データを受信し、物流データを物流データ管理装置に送信する。物流データ管理装置は、端末装置から送信された物流データを処理し、処理された後の物流データをバックエンドサーバに送信する。物流データ管理装置は、一つのデータ収集モジュールと、一つの結合整合モジュールと、一つの結合記憶エリアと、を備える。データ収集モジュールは、物流データがデータの検査規則を満たしているかを検査する。結合整合モジュールは、物流データを構造化処理し、並びに一つのデータグループに整合する。結合記憶エリアは、データグループを保存するのに用いられる。【選択図】図４
2019121358.tif 000002
【特許請求の範囲】
【請求項１】
物流データを受信並びに送信するのに用いられる物流データ送信システムであって、少なくとも一つの端末装置、一つの物流データ管理装置及び一つのバックエンドサーバを備え、
前記少なくとも一つの端末装置は一つの物流データを受信するのに用いられ、並びに前記物流データを前記物流データ管理装置に送信し、
前記物流データ管理装置は、前記端末装置が送信した前記物流データを処理するのに用いられ、並びに処理された後の前記物流データを前記バックエンドサーバに送信し、前記物流データ管理装置は、
前記物流データが一つのデータの検査規則を満たしているかを検査するのに用いられる一つのデータ収集モジュールと、
前記物流データを構造化処理し、並びに一つのデータグループに整合するのに用いられる一つの結合整合モジュールと、
前記データグループを保存するのに用いられる結合記憶エリアと、を備えることを特徴する物流データ送信システム。
【請求項２】
前記データ収集モジュールは前記物流データをソートし、事前に分類するのに用いられることを特徴とする請求項１に記載の物流データ送信システム。
【請求項３】
前記物流データ管理装置はさらに、前記データの検査規則を満たしていない物流データを一時的に保存するのに用いられる一つの不正データエリアを備えることを特徴とする請求項１に記載の物流データ送信システム。
【請求項４】
前記物流データ管理装置は、前記データグループを前記バックエンドサーバに送信することを特徴とする請求項１に記載の物流データ送信システム。
【請求項５】
前記バックエンドサーバは、前記データグループを検証するのに用いられる一つの検証モジュールを備えることを特徴とする請求項４に記載の物流データ送信システム。
【請求項６】
前記バックエンドサーバは、前記データグループを分離するのに用いられる代理モジュールを備えることを特徴とする請求項４に記載の物流データ送信システム。
【請求項７】
物流データ送信システムに適用される物流データ送信方法であって、前記物流データ送信システムは、少なくとも一つの端末装置、一つの物流データ管理装置及び一つのバックエンドサーバを備え、
前記物流データ管理装置は、一つのデータ収集モジュール、一つの結合整合モジュール及び結合記憶エリアを備え、
前記物流データ管理装置が前記端末装置の一つの物流データを受信するステップと、
前記データ収集モジュールが一つのデータの検査規則に基づいて前記物流データが正確かどうかを検査するステップと、
前記結合整合モジュールが前記物流データを構造化処理して、並びに構造化処理された後の物流データを前記結合記憶エリアに保存するステップと、
前記結合記憶エリアの物流データが所定の数量に達しているかどうかを判断するステップと、
前記結合記憶エリアの物流データが前記所定の数量に達している場合、前記結合記憶エリアの物流データを結合して一つのデータグループに形成するステップと、
前記データグループを前記バックエンドサーバに送信するステップと、を含むことを特徴とする物流データ送信方法。
【請求項８】
前記バックエンドサーバは、一つの検証モジュールを備え、前記物流データの送信方法はさらに、
前記検証モジュールが、前記データグループが検証を通過したかどうかを判断するステップを含むことを特徴とする請求項７に記載の物流データ送信方法。
【請求項９】
前記バックエンドサーバは一つの代理モジュールを含み、
前記代理モジュールが前記データグループを分離し、並びに前記バックエンドサーバに保存するステップを含むことを特徴とする請求項７に記載の物流データ送信方法。
【請求項１０】
前記結合整合モジュールが前記物流データを構造化処理するステップはさらに、
前記結合整合モジュールが、構造化処理された物流データが正確かどうかを判断するステップを含むことを特徴とする請求項７に記載の物流データ送信方法。
【発明の詳細な説明】
【技術分野】
【０００１】
本発明は、物流データ送信システム及びそのシステムに関し、特に、ローカルホストの物流データ管理装置を利用して、物流データを処理する物流データ送信システム及びその方法に関するものである。
【背景技術】
【０００２】
電子商品取引の発展により人々の購買方法も大きく変化している。多くの人々がオンラインショッピングを利用するようになり、生活が便利になっている。オンラインショッピングの発展により、物流配送業が処理する物流データは近年大幅に増加していて、物流業者に対して、さらにスマート化された物流データ送信モードの発展を促進している。従来の物流データは通常手持ち式の物流端末装置を採用しており、物流スタッフは便利にスキャンまたは手動での入力方法によって品物の情報を記録する。次いで、この端末装置を再利用して、物流データをバックエンドサーバまで送信してまとめて管理する。端末装置が送信する物流データは、検証及び整理された構造化されたデータに対してのみ管理することができるため、バックエンドサーバの負担を招く。
【０００３】
したがって、物流データの送信システムの効率を向上する物流データ送信方法が必要である。
【発明の概要】
【発明が解決しようとする課題】
【０００４】
以上の問題点に鑑みて、本発明は、物流データ送信システム及びその方法を提供することを目的とする。
【課題を解決するための手段】
【０００５】
本発明の物流データ送信システム及びその方法は、ローカルホストに設置された物流データ管理装置を利用して、端末装置から送信された物流データについて、データの検査規則を満たしているかの検査をし、検査規則を満たしていると判断した物流データを構造化処理し、構造化処理をした物流データをパッケージした後に、再度バックエンドサーバに送信する。この方法により、端末からのデータを階層化処理でき、バックエンドサーバの演算の負担を低減し、物流データの送信効率を向上する。
【０００６】
上記の目的を達成するために、本発明は、物流データを受信並びに送信するのに用いられる物流データ送信システムを提供する。この物流データ送信システムは、少なくとも一つの端末装置、一つの物流データ管理装置及び一つのバックエンドサーバを備える。少なくとも一つの端末装置は一つの物流データを受信するのに用いられ、並びに物流データを物流データ管理装置に送信する。物流データ管理装置は、端末装置から送信された物流データを処理するのに用いられ、並びに処理された後の物流データをバックエンドサーバに送信する。物流データ管理装置は、一つのデータ収集モジュールと、一つの結合整合モジュールと、一つの結合記憶エリアを備える。データ収集モジュールは、物流データがデータの検査規則を満たしているかを検査するのに用いられる。結合整合モジュールは、物流データを構造化処理し、並びに一つのデータグループに整合するのに用いられる。結合記憶エリアは、データグループを保存するのに用いられる。
【０００７】
一つの実施形態において、データ収集モジュールは物流データをソートし、並びに事前に分類することに用いられる。
【０００８】
一つの実施形態において、物流データ管理装置はさらに、データの検査規則を満たしていない物流データを一時保存する一つの不正データエリアを備える。
【０００９】
一つの実施形態において、物流データ管理装置は、データのグループをバックエンドサーバに送信する。
【００１０】
一つの実施形態において、バックエンドサーバは、データのグループを検証するのに用いられる一つの検証モジュールを備える。バックエンドサーバは、データのグループを分離するのに用いられる一つの代理モジュールを備える。
【００１１】
上記の目的を達成するために、本発明は物流データ送信システムに適用される物流データ送信方法も提供する。物流データ送信システムは、少なくとも一つの端末装置、一つの物流データ管理装置及び一つのバックエンドサーバを備える。物流データ管理装置は、一つのデータ収集モジュール、一つの結合整合モジュール及び結合記憶エリアを備える。物流データ管理方法は、物流データ管理装置が端末装置の一つの物流データを受信するステップと、データ収集モジュールが、一つのデータの検査規則に基づいて物流データが正確であるかどうかを検査するステップと、結合整合モジュールが、物流データを構造化処理して、並びに構造化処理された後の物流データを結合記憶エリアに保存するステップと、結合記憶エリアの物流データが所定の数量に達しているかどうかを判断するステップと、結合記憶エリアの物流データが所定の数量に達している場合、結合記憶エリアの物流データを結合して、一つのデータグループに形成するステップと、データグループをバックエンドサーバに送信するステップとを含む。
【００１２】
一つの実施形態において、バックエンドサーバは一つの検証モジュールを備える。物流データ送信方法はさらに、データグループが検証を通過したかどうかを判断するステップを含む。
【００１３】
一つの実施形態において、バックエンドサーバは、一つの代理モジュールを備える。物流データ送信方法は、さらに、代理モジュールがデータグループを分離し、並びにバックエンドサーバに保存するステップを含む。
【００１４】
一つの実施形態において、結合整合モジュールが物流データを結合化処理するステップはさらに、結合整合モジュールが、構造化処理された物流データが正確かどうかを判断するステップを含む。
【発明の効果】
【００１５】
以上のことから、本発明の物流データ送信システム及びその方法は、ローカルホストに設置された物流データ管理装置を利用して、端末装置から送信された物流データについて、データの検査規則を満たしているかの検査をし、検査規則を満たしていると判断した物流データを構造化処理し、構造化処理をした物流データをパッケージした後、再度バックエンドサーバに送信する。この方法により、端末装置から送信されたデータを階層化処理してバックエンドサーバの演算の負担を低減し、物流データの送信効率を向上できる。また、この種の物流データを階層化処理する構造は、物流送信システム全体の規模を拡大するのに便利であり、ローカルホストの物流データ管理装置の方法をサブシステムとして追加することにより、システム全体の規模を拡大する。したがって、物流業者は、異なる要求に基づいて物流送信システムの構造を配置し、新たに追加されたローカルホストの物流データ管理装置は直接システムに追加することができるため、システムの構造を変更する必要はない。また、本発明の物流データ管理装置は、まとまっていない物流データを構造化処理した後、データグループの構造に変化させるため、異なる時間に異なる端末装置に入る物流データが破壊されてデータの一貫性がなくなる、という問題を解決し、物流データの可読性を向上する。
【図面の簡単な説明】
【００１６】
【図１】図１は本発明の物流データ送信システムを示す図である。
【図２】図２は本発明の物流データ管理装置のハードウェアの構造を示すブロック図である。
【図３】図３は本発明の物流データ管理装置の機能モジュールのブロック図である。
【図４】図４は本発明の物流データ送信システムのデータの送信を示す図である。
【図５】図５は本発明の物流データ送信方法のフローチャートである。
【発明を実施するための形態】
【００１７】
以下、図面を参照しながら、本発明の実施形態に係る物流データ送信システム及びその方法を説明する。同じ要素については同じ符号を用いて説明する。
【００１８】
図１は本発明の物流送信システムを示す図である。図１に示すように、本発明の物流データ送信システム１０は物流データの受信及び送信に用いられ、少なくとも一つの端末装置Ｅ１及びＥ２、一つの物流データ管理装置１００、並びに一つのバックエンドサーバ２００を備える。少なくとも一つの端末装置Ｅ１及びＥ２は物流データを受信し、並びに前記物流データを物流データ管理装置１００に送信する。端末装置Ｅ１及びＥ２は一般の物流業者が使用する端末装置、例えば、手持ち式の端末装置である。端末装置Ｅ１及びＥ２はバーコードスキャニングモジュール（図示せず）を備えるとよい。また、端末装置Ｅ１及びＥ２は、バーコードスキャンの方法を利用して、物流データ、例えば、出荷地、配送先、品物の種類等の情報を取得してもよい。また、端末装置Ｅ１及びＥ２は、さらに使用者が入力するインターフェイス（図示せず）を含んでもよい。物流スタッフは、インターフェースを介して、物流データを手動入力することができる。端末装置Ｅ１及びＥ２は、一つの無線モジュール（図示せず）も備えている。端末装置Ｅ１及びＥ２は、無線の送信方法によって、取得した物流データを物流データ管理装置１００に送信する。端末装置Ｅ１及びＥ２の素子と使用方法は周知の技術であるため、ここでの説明は省略する。端末装置Ｅ１を例にすると、物流スタッフは端末装置Ｅ１を手に持ち、バーコードスキャン及び手動入力により、一つの物流データを形成する。並びに、物流データを無線の送信方法によって物流データ管理装置１００に送信する。物流データ管理装置１００は端末装置Ｅ１及びＥ２から送信された前記物流データを処理すると共に、処理された後の物流データをバックエンドサーバ２００に送信する。物流データ管理装置１００は一つのローカルサーバであり、物流業者が定義する地域性の営業地またはその他の指定した場所に設置することがでる。物流データ管理装置１００は、ある特定のエリアまたは特定の端末装置が送信した物流データを処理することに用いられる。物流データ管理装置１００は、物流業者が、データ、配達の手配、或いはその他のプロセスを便利に管理できるよう、収集した物流データを最適化処理し、処理された後の物流データをバックエンドサーバ２００に送信する。バックエンドサーバ２００は、異なるエリアの物流データ管理装置１００が送信した、最適化処理後の物流データを受信し、受信した物流データをまとめて管理することができる。一つのバックエンドサーバ２００は複数の物流データ管理装置１００に対応する。また、一つの物流データ管理装置１００は複数の端末装置Ｅ１またはＥ２に対応する。この方法により、一つの物流データ送信のネットワークを形成する。また、物流データ管理装置１００を介して、端末装置Ｅ１及びＥ２が取得した物流データを先ず最適化処理して、バックエンドサーバ２００の演算の負担を低減し、全ての物流データ送信システムの効率を向上させる。
【００１９】
図２は、本発明の物流データ管理装置１００のハードウェアの構造を示すブロック図である。図２に示すように、本発明の物流データ管理装置１００は、一つのプロセッサ１１０、一つのメモリ１２０、一つの入出力インターフェイス１３０及び一つの通信モジュール１４０を備える。プロセッサ１１０は前記物流データを処理するのに用いられると共に、メモリ１２０、入出力インターフェイス１３０及び通信モジュール１４０を制御する。メモリ１２０は前記物流データを保存するのに用いられる。入出力インターフェイス１３０は、使用者が操作するインターフェイスを提供する。通信モジュール１４０は前記物流データを受信しまたは送信するのに用いられる。上述したように、本発明の物流データ管理装置１００は一つのローカルサーバであり、物流業者が定義する地域の営業地、またはその他の指定された場所に設置され、ある特定の地域または特定された端末装置が送信した物流データを処理するのに用いられる。本発明の物流データ管理装置１００は、先ず、前記端末装置が送信した物流データを検査し及び構造化処理することができ、バックエンドサーバの演算の消費を低減する。図２は本発明の物流データ送信システムの一つの具体的な実施例を示しており、本発明の物流データ送信システム１０は異なる使用環境またはプラットフォームにマッチすることができ、ハードウェアの影響を受けない。
【００２０】
図３は、本発明の物流データ管理装置１００の機能モジュールのブロック図である。図３に示すように、物流データ管理装置１００は、データ収集モジュール１５０、結合整合モジュール１６０、及び結合記憶エリア１２１を備える。物流データ管理装置１００はさらに不正データエリア１２２を備えてもよい。データ収集モジュール１５０は前記物流データを受信するのに用いられると共に、前記物流データがデータの検査規則を満たしているかを検査する。このデータの検査規則は物流業者が予め設定した検査規則である。データ収集モジュール１５０は、これに接続される装置（例えば、前記端末装置）、ソフトウェア、またはその他のものからの情報を受信すると同時に、情報の流量を制御し、大規模なデータの入力時間に対して自発的にデータ流入の最適化処理を行う。データ収集モジュール１５０は、前記物流データを受信した後、受信した物流データに対して、前記データの検査規則を利用して、前記物流データが正確であるかどうかを検査し、不正確な物流データをフィルタリングする。前記物流データが不正確（即ち、前記データ検査規則を満たさない）である場合、不正確なデータを直接破棄するか、または、一時的に不正データエリア１２２に保存し、不正データエリア１２２の不正なデータをまとめて破棄する。不正データエリア１２２は前記データの検査規則を満たしていない物流データを一時的に保存するのに用いられる。検査を通過した物流データは、データ収集モジュール１５０において、ソートされると共に事前分類され、その後、再度結合整合モジュール１６０に入る。結合整合モジュール１６０はさらに一つのバッファモジュール（Ｂｕｆｆｅｒ  ｍｏｄｕｌｅ）１６１及び一つのスケジューラモジュール（Ｓｃｈｅｄｕｌｅｒ  ｍｏｄｕｌｅ）１６２を備える。バッファモジュール１６１において、物流データごとに一つのイベントに変換される。この物流データからイベントへの属性変換は、異なる端末装置の種類に基づいて行われる。バッファモジュール１６１は予め設定された特殊なイベントの検査の規則に合わせ、イベントの種類に基づいて、ウェイトの規則を付加する。構造が大規模な物流センターに配置されている場合、突発的なイベントが出現した時に、事前にバックエンドサーバに報告して迅速に処理できるよう、イベントが即時性を持ち、直ちに送信しなければならない場合、直接スケジューラモジュール１６２に送り、迅速にバックエンドサーバ２００に送信する。前記イベントは、複数の情報源から来る可能性があるため、実行時間の差が発生するか、または、ブロッキングされる場合、容易にイベントシーケンスの混乱したり、イベントの組み合わせが不足する問題が出現する。このバッファモジュール１６１はこの状況に対応するために生成されるものである。一つまたはグループのイベントのシーケンス、グループ分け、整合は、全ての一つのイベントがバッファモジュール１６１において構造化され、一つのデータグループに形成されたものである。前記データグループは結合記憶エリア１２１に保存され、並びにスケジューラモジュール１６２によりスケジューリングされてバックエンドサーバに送信される。送信が完了する前に、データグループは結合��憶エリア１２１に保存される。スケジューラモジュール１６２は予め設定された規則に基づいて引き続き結合記憶エリア１２１中に保存されたイベントの数を検査し、イベントの数がある程度まで集合した後、前記データグループをインターネットによりバックエンドサーバ２００に送る。スケジューラモジュール１６２が送信する規則は、スケジュール設定、イベントの優先順位、イベントのデータ量、ネットワーク帯域幅の健康状態に基づいて送信される。送信の際に異状が発生したか、または、受信完了信号を受け取っていない場合、スケジューラモジュール１６２は再度データグループを送信する。送信が成功すると、スケジューラモジュール１６２は自発的に既に送信したデータグループをクリアにすることを通知して、イベントが、送信問題により中断されないよう確保する。
【００２１】
図４は、本発明の物流データ管理装置１００のデータ管理を示す図である。物流データ管理装置１００は端末装置Ｅ１及びＥ２からの物流データを受信する。物流データは先ずデータ収集モジュール１５０に入る。データ収集モジュール１５０は前記物流データが前記データの検査規則を満たしているかを検査する。データ収集モジュール１５０は、前記物流データが前記データの検査規則を満たしていない場合、不正確なデータ（データ検査規則を満たさない物流データ）を不正データエリア１２２に放置して、後にまとめて破棄するか、または、そのような不正確なデータを直接選択して破棄する。検査規則を満たしているか否かの検査を通過した物流データは、データ収集モジュール１５０において、ソートされると共に事前分類され、その後、再度結合整合モジュール１６０に入る。結合整合モジュール１６０はさらに一つのバッファモジュール（Ｂｕｆｆｅｒ  ｍｏｄｕｌｅ）１６１及び一つのスケジューラモジュール（Ｓｃｈｅｄｕｌｅｒ  ｍｏｄｕｌｅ）１６２を備える。バッファモジュール１６１において、物流データごとに一つのイベントに変換される。この物流データからイベントへの属性変換は、異なる端末装置の種類に基づいて行われる。バッファモジュール１６１は予め設定された特殊なイベントの検査の規則に合わせ、イベントの種類に基づいて、ウェイトの規則を付加する。構造が大規模な物流センターに配置されている場合、突発的なイベントが出現した時に、事前にバックエンドサーバに報告して迅速に処理できるよう、イベントが即時性を持ち、直ちに送信しなければならない場合、直接スケジューラモジュール１６２に送り、迅速にバックエンドサーバ２００に送信する。前記イベントは、複数の情報源から来る可能性があるため、実行時間の差が発生するか、または、ブロッキングされる場合、容易にイベントシーケンスが混乱したり、イベントの組み合わせが不足する問題が出現する。このバッファモジュール１６１はこの状況に対応するために生成されるものである。一つまたはグループのイベントのシーケンス、グループ分け、整合は、全ての一つのイベントがバッファモジュール１６１において構造化され、一つのデータグループに形成されたものである。前記データグループは結合記憶エリア１２１に保存され、並びにスケジューラモジュール１６２によりスケジューリングされてバックエンドサーバに送信される。送信が完了する前に、データグループは結合記憶エリア１２１に保存される。スケジューラモジュール１６２は予め設定された規則に基づいて引き続き結合記憶エリア１２１中に保存されたイベントの数を検査し、イベントの数がある程度まで集合した後、前記データグループをインターネットによりバックエンドサーバ２００に送る。スケジューラモジュール１６２が送信する規則は、スケジュール設定、イベントの優先順位、イベントのデータ量、ネットワーク帯域幅の健康状態に基づいて送信される。送信の際に異状が発生したか、または、受信完了信号を受け取っていない場合、スケジューラモジュール１６２は再度データグループを送信する。送信が成功すると、スケジューラモジュール１６２は自発的に既に送信したデータグループをクリアにするこ��を通知して、イベントが、送信問題により中断されないよう確保する。
【００２２】
バックエンドサーバ２００は、検証モジュール２１０、代理モジュール２２０及びバックエンド集合モジュール２３０を備える。検証モジュール２１０は、前記データグループを検証するのに用いられる。検証モジュール２１０は、検証を通過していないデータを阻止して、検証を通過していないデータが直接バックエンドサーバ２００内のデータと交流するのを防止して、データの安全性を確保して攻撃されるのを防止する。前記データグループが検証を通過していない場合、検証モジュール２１０は検証を通過していないデータを破棄する。前記データグループが検証を通過した場合、代理モジュール２２０に入る。代理モジュール２２０は前記データグループを分離して、離散型のデータをパッケージした後、連続したデータ形式に変換して、信頼できるバックエンド集合モジュール２３０に書き込む。バックエンド集合モジュール２３０は最終的なデータの保存ユニットであり、バックエンド集合モジュール２３０に保存されたデータは、要求に基づいて、何時でも、権限を有する使用者に、各イベントの完全な処理記録の過程を提供することができる。
【００２３】
図５は本発明の物流データ送信方法を示す図である。本発明の物流データ送信方法は本発明の物流データ送信システム１０に用いられる。図４と図５を併せて参照されたい。本発明の物流データ送信方法の流れを説明する。図４と図５に示すように、本発明の物流データ送信方法Ｓ３００は、物流データ送信システム１０に適用される。物流データ送信システムは、少なくとも一つの端末装置Ｅ１及びＥ２、一つの物流データ管理装置１００及びバックエンドサーバ２００を備える。前記物流データ管理装置は、一つのデータ収集モジュール１５０、一つの結合整合モジュール１６０及び一つの結合記憶エリア１２１を備える。前記物流データ管理方法は、ステップＳ３０１〜Ｓ３１２を含む。
【００２４】
ステップＳ３０１において、物流データ管理装置１００は、端末装置Ｅ１及びＥ２からの物流データを受信する。ステップＳ３０２において、データ収集モジュール１５０は、一つのデータの検査規則に基づいて前記物流データが正確であるかどうかを判断する。ステップＳ３０２で正確ではないと判断した場合、ステップＳ３１１に進み、直接不正確なデータを破棄する。また、図４に示すように、不正確なデータを不正データエリア１２２に放置し、その後再度まとめて破棄する。ステップＳ３０２において、正確であると判断した場合、ステップＳ３０３に入る。ステップＳ３０３において、結合整合モジュール１６０は、前記物流データを構造化処理する。ステップＳ３０４において、結合整合モジュール１６０は、構造化処理した物流データが正確であるかどうかを判断する。ステップＳ３０４において、構造化処理された物流データが正確ではないと判断した場合、ステップＳ３０３に戻って再度構造化処理する。ステップＳ３０４において、構造化処理された物流データが正確であると判断した場合、ステップＳ３０５に進む。ステップＳ３０５において、結合整合モジュール１６０は、構造化処理された後の物流データを結合記憶エリア１２１に保存する。ステップＳ３０６において、物流データ管理装置１００は、結合記憶エリア１２１の物流データが所定の数量に達しているかどうかを判断する。ステップＳ３０６において、物流データが所定の数量に達していないと判断した場合、ステップＳ３０５に戻って、引き続き構造化処理がされた後の物流データを結合記憶エリア１２１に保存する。ステップＳ３０６において、物流データが所定の数量に達していると判断した場合、ステップＳ３０７に進む。ステップＳ３０７において、物流データ管理装置１００は結合記憶エリア１２１の物流データを結合して一つのデータグループを形成する。ステップＳ３０８において、物流データ管理装置１００は前記データグループをバックエンドサーバ２００に送信する。前記データグループはバックエンドサーバ２００の規則まで送信され、スケジュール設定、イベントの優先順位、イベントのデータ量、ネットワーク帯域幅の健康状態に基づいて送信されてもよい。
【００２５】
バックエンドサーバ２００は、一つの検証モジュール２１０、一つの代理モジュール２２０及び一つのバックエンド集合モジュール２３０を備える。前記データグループは、バックエンドサーバ２００に送信された後、ステップＳ３０９において、検証モジュール２１０は前記データグループが検証を通過したかどうかを判断する。ステップＳ３０９において、前記データグループが検証を通過していないと判断した場合、バックエンドサーバ２００は直接検証を通過していないデータを破棄する。または、バックエンドサーバ２００に一時保存した後、再度まとめて破棄する。ステップＳ３０９において、前記データグループが検証を通過したと判断した場合、ステップＳ３１０に進む。ステップＳ３１０において、代理モジュール２２０は、前記データグループを分離すると共に、バックエンド集合モジュール２３０中に保存する。バックエンド集合モジュール２３０に保存されたデータは、要求に基づいて、何時でも、権限を有する使用者に、各イベントの完全な処理記録の過程を提供することができる。
【００２６】
以上のことから、本発明の物流データ送信システム及びその方法は、ローカルホストに設置された物流データ管理装置を利用して、端末装置から送信された物流データについて、データの検査規則を満たしているかの検査をし、検査規則を満たしていると判断した物流データを構造化処理し、構造化処理をした物流データをパッケージした後、再度バックエンドサーバに送信する。この方法により、端末装置から送信されたデータを階層化処理してバックエンドサーバの演算の負担を低減し、物流データの送信効率を向上できる。また、この種の物流データを階層化処理する構造は、物流送信システム全体の規模を拡大するのに便利であり、ローカルホストの物流データ管理装置の方法をサブシステムとして追加することにより、システム全体の規模を拡大する。したがって、物流業者は、異なる要求に基づいて物流送信システムの構造を配置し、新たに追加されたローカルホストの物流データ管理装置は直接システムに追加することができるため、システムの構造を変更する必要はない。また、本発明の物流データ管理装置は、まとまっていない物流データを構造化処理した後、データグループの構造に変化させるため、異なる時間に異なる端末装置に入る物流データが破壊されてデータの一貫性がなくなる、という問題を解決し、物流データの可読性を向上する。
【００２７】
以上の記載は単なる例にすぎず、限定するものではない。本発明の如何なる精神及び範囲を逸脱してはならず、補正または変更を行う際は、後に記載する特許請求の範囲内でなければならない。
【符号の説明】
【００２８】
１０  物流データ送信システム
１００  物流データ管理装置
１１０  プロセッサ
１２０  メモリ
１２１  結合記憶エリア
１２２  不正データエリア
１３０  入出力インターフェイス
１４０  通信モジュール
１５０  データ収集モジュール
１６０  結合整合モジュール
１６１  バッファモジュール
１６２  スケジューラモジュール
２００  バンクエンドサーバ
２１０  検証モジュール
２２０  代理モジュール
２３０  バックエンド集合モジュール
Ｅ１、Ｅ２  端末装置
【図１】
2019121358.tif 000003
【図２】
2019121358.tif 000004
【図３】
2019121358.tif 000005
【図４】
2019121358.tif 000006
【図５】
2019121358.tif 000007